(57)【要約】【課題】  各発光ダイオードを独立して制御することができる、インダクティブタイプＬＥＤドライバを提供すること。【解決手段】  入力電圧（ＶＩＮ）がインダクタ（Ｌ）の一端に供給され、インダクタ（Ｌ）の他端を、スイッチング周波数でオン／オフされるスイッチング回路（１１）により、接地したり開放することを繰り返すことにより、入力電圧（ＶＩＮ）とインダクタ（Ｌ）の両端の電圧とを組合わせた電圧を出力電圧（Ｖｏ）として出力コンデンサ（ＣＯＵＴ）に蓄積し、この出力電圧を直列接続された第１乃至第４の発光ダイオード（ＬＥＤ１〜ＬＥＤ４）に印加するインダクティブタイプＬＥＤドライバ（１０Ａ）において、第１乃至第４の発光ダイオードにそれぞれ並列に接続された第１乃至第４のスイッチ（ＳＷ１〜ＳＷ４）は、第１乃至第４の発光ダイオードに流れる電流をそれぞれ制御する。【選択図】      図２
2006261160.tif 000002
【特許請求の範囲】
【請求項１】
入力電圧がインダクタの一端に供給され、前記インダクタの他端を、スイッチング周波数でオン／オフされるスイッチング回路により、接地したり開放することを繰り返すことにより、前記入力電圧と前記インダクタの両端の電圧とを組合わせた電圧を出力電圧として出力コンデンサに蓄積し、該出力電圧を直列接続された第１乃至第Ｎ（Ｎは２以上の整数）の発光ダイオードに印加するインダクティブタイプＬＥＤドライバにおいて、
前記第１乃至前記第Ｎの発光ダイオードにそれぞれ並列に接続されて、前記第１乃至前記第Ｎの発光ダイオードに流れる電流をそれぞれ制御する第１乃至第Ｎの電流制御手段を備えたことを特徴とするインダクティブタイプＬＥＤドライバ。
【請求項２】
前記第１乃至前記第Ｎの電流制御手段は、それぞれ、第１乃至第Ｎのスイッチから構成され、前記第１乃至前記第Ｎのスイッチは、それぞれ、外部から供給される第１乃至第Ｎの制御信号によりオン／オフが制御される、請求項１に記載のインダクティブタイプＬＥＤドライバ。
【請求項３】
前記インダクティブタイプＬＥＤドライバは、前記スイッチング回路のオン／オフ動作の駆動及び停止を、前記スイッチング周波数よりも低い繰り返し周波数を持つＰＷＮ信号によって制御するＰＷＭ制御回路を備え、
前記第１乃至前記第Ｎの制御信号の繰り返し周波数は、前記ＰＷＮ信号の繰り返し周波数よりも高いことを特徴とする、請求項２に記載のインダクティブタイプＬＥＤドライバ。
【請求項４】
前記第１乃至前記第Ｎの電流制御手段は、それぞれ、第１乃至第Ｎの電流源から構成され、前記第１乃至前記第Ｎの電流源は、それぞれ、外部から供給される第１乃至第Ｎの制御信号のレベルによりその電流値が制御される、請求項１に記載のインダクティブタイプＬＥＤドライバ。
【発明の詳細な説明】
【技術分野】
【０００１】
本発明は、白色ＬＥＤ（発光ダイオード）などのＬＥＤを駆動するためのＬＥＤドライバに関し、特に、インダクティブタイプＬＥＤドライバに関する。
【背景技術】
【０００２】
この種のＬＥＤドライバは、例えば、携帯電話の液晶表示装置のバックライトとして使用される白色ＬＥＤを駆動するために使用される。尚、携帯電話の液晶表示装置には、メインディスプレイとサブディスプレイとを備えているものがある。
【０００３】
この種のＬＥＤドライバとしては、インダクティブタイプＬＥＤドライバやチャージポンプ式ＬＥＤドライバが知られている。インダクティブタイプＬＥＤドライバは、例えば、特許文献１に開示されている。
【０００４】
以下、図１を参照して、従来のインダクティブタイプＬＥＤドライバ１０について説明する。尚、以下では、インダクティブタイプＬＥＤドライバ１０のことを単に「ＬＥＤドライバ」とも呼ぶ。
【０００５】
ＬＥＤドライバ１０には、リチウムイオン電池などの電池２０から電池電圧が入力電圧ＶＩＮとして印加される。電池２０には入力コンデンサＣＩＮが並列に接続されており、この入力コンデンサＣＩＮの両端間で入力電圧ＶＩＮが保持される。
【０００６】
ＬＥＤドライバ１０は、入力電圧ピンＶＩＮと、スイッチングピンＳＷと、ＬＥＤドライブピンＤＲＶと、シャットダウンピンＳＨＤＮと、グランドピンＧＮＤとを持つ。
【０００７】
次に、ＬＥＤドライバ１０の外部構成について説明する。入力電圧ピンＶＩＮには入力電圧ＶＩＮが印加される。入力電圧ピンＶＩＮとスイッチングピンＳＷとの間にはインダクタＬが接続されている。スイッチングピンＳＷにはショットキーバリアダイオードＳＢＤのアノードが接続されている。このショットキーバリアダイオードＳＢＤのカソードとＬＥＤドライブピンＤＲＶとの間には、第１乃至第４の白色発光ダイオードＬＥＤ１〜ＬＥＤ４が直列に接続されている。ＬＥＤドライブピンＤＲＶとグランドピンＧＮＤとの間には抵抗器Ｒ１が接続されている。グランドピンＧＮＤは接地される。ショットキーバリアダイオードＳＢＤのカソードとグランドピンＧＮＤとの間には出力コンデンサＣＯＵＴが接続されている。シャットダウンピンＳＨＤＮには、図示しない制御回路から、後述するようなＰＷＭ信号が供給される。
【０００８】
次に、ＬＥＤドライバ１０の内部構成について説明する。第１乃至第４の白色発光ダイオードＬＥＤ１〜ＬＥＤ４において必要な電圧を発生するために、ＬＥＤドライバ１０はスイッチング回路１１を含む。このスイッチング回路１１は、インダクタＬをスイッチングピンＳＷを介して周期的にグランドへショートするためのものである。このスイッチング回路１１のスイッチング周波数は、例えば、１ＭＨｚであるが、５０ｋＨｚ〜３ＭＨｚの範囲であって良い。インダクタＬをショートすると、インダクタＬに磁気的エネルギーが蓄えられる。このショートが解除されると、インダクタＬの両端の電圧と入力電圧ＶＩＮとが組み合わさった電圧が、ショットキーバリアダイオードＳＢＤを介して、昇圧電圧（出力電圧）Ｖｏとして出力コンデンサＣＯＵＴに蓄えられる。この昇圧電圧（出力電圧）Ｖｏは、第１乃至第４の白色発光ダイオードＬＥＤ１〜ＬＥＤ４の直列回路に必要な順方向電圧を満たしている。
【０００９】
尚、入力電圧ＶＩＮは、一般に、３Ｖ〜４．２Ｖの範囲にある。これに対して、出力電圧Ｖｏは、１５Ｖ〜１６Ｖの範囲にある。
【００１０】
ここで、ＬＥＤドライブピンＤＲＶは所定の電圧ＶＦＢに維持されるので、第１乃至第４の白色発光ダイオードＬＥＤ１〜ＬＥＤ４の直列回路には、（Ｖｏ−ＶＦＢ）の電圧が印加される。尚、所定の電圧ＶＦＢは、例えば、０．１Ｖである。
【００１１】
ＬＥＤドライバ１０は、更に、基準電圧発生器１２と、誤差増幅器１３と、ＰＷＭ制御回路１４とを備えている。基準電圧発生器１２には、入力電圧ピンＶＩＮを介して入力電圧ＶＩＮが供給されている。基準電圧発生器１２は、基準電圧Ｖrefを発生する。誤差増幅器１３は、基準電圧Ｖrefと所定の電圧ＶＦＢとを比較して誤差信号を出力する。誤差信号に基いて、ＰＷＭ制御回路１４は、スイッチング回路１１のスイッチング（オン／オフ）を制御する。
【００１２】
また、基準電圧発生器１２とＰＷＭ制御回路１４には、シャットダウンピンＳＨＤＮを介して制御回路（図示せず）からＰＷＭ信号が供給される。図示の例では、ＰＷＭ信号の繰り返し周波数は１ｋＨであるが、１００Ｈｚ〜１ｋＨｚの範囲であって良い。ＰＷＭ信号が論理ハイレベルのとき、ＰＷＭ制御回路１４は、スイッチング回路１１をスイッチング周波数でオン／オフする。一方、ＰＷＭ信号が論理ローレベルのとき、ＰＷＭ制御回路１４は、スイッチング回路１１をオフ状態にする。
【００１３】
すなわち、このＰＷＭ信号は、そのデューティ係数を変えることにより、第１乃至第４の白色発光ダイオードＬＥＤ１〜ＬＥＤ４を調光するためのものである。例えば、第１乃至第４の白色発光ダイオードＬＥＤ１〜ＬＥＤ４に流れる初期設定ＬＥＤ電流が２０ｍＡであり、ＰＷＭ信号のデューティ係数（オン・デューティ）が５０％であるとする。この場合には、第１乃至第４の白色発光ダイオードＬＥＤ１〜ＬＥＤ４を流れる平均電流は１０ｍＡとなる。この平均電流は、白色発光ダイオードの明るさを規定する。一方、初期設定ＬＥＤ電流は、白色発光ダイオードの色温度を規定している。
【００１４】
図１に示した従来のＬＥＤドライバ１０では、シャットダウンピンＳＨＤＮから供給されるＰＷＮ信号のオン・デューティ（デューティ係数）を調整することにより、第１乃至第４の白色発光ダイオードＬＥＤ１〜ＬＥＤ４の全てを同時に調光している。
【００１５】
【特許文献１】ＵＳ２００４／０２５６６２５（図１）
【発明の開示】
【発明が解決しようとする課題】
【００１６】
前述したように、液晶表示装置としてメインディスプレイとサブディスプレイとを備えている携帯電話がある。そのような携帯電話において、メインディスプレイとサブディスプレイとを独立に制御するためには、図１に示されるようなＬＥＤドライバ１０を２個使用する必要がある。その為、コストが高くなってしまう。一方、図１に示されるようなＬＥＤドライバ１０を１個のみ使用した場合には、メインディスプレイとサブディスプレイとが同時に駆動されるので、使い勝手が悪くなる。
【００１７】
一方、ＬＥＤドライバとして上記チャージポンプ式ＬＥＤドライバを使用することもできる。このチャージポンプ式ＬＥＤドライバは、出力コンデンサに複数個の白色発光ダイオードを並列に接続しているので、メインディスプレイとサブディスプレイとを独立して駆動することができる。しかしながら、インダクティブタイプＬＥＤドライバに比べて、チャージポンプ式ＬＥＤドライバは効率が低いという問題がある。
【００１８】
したがって、本発明の課題は、各発光ダイオードを独立して制御することができる、インダクティブタイプＬＥＤドライバを提供することにある。
【課題を解決するための手段】
【００１９】
本発明によれば、入力電圧（ＶＩＮ）がインダクタ（Ｌ）の一端に供給され、前記インダクタの他端を、スイッチング周波数でオン／オフされるスイッチング回路（１１）により、接地したり開放することを繰り返すことにより、前記入力電圧と前記インダクタの両端の電圧とを組合わせた電圧を出力電圧（Ｖｏ）として出力コンデンサ（ＣＯＵＴ）に蓄積し、該出力電圧を直列接続された第１乃至第Ｎ（Ｎは２以上の整数）の発光ダイオード（ＬＥＤ１〜ＬＥＤ４）に印加するインダクティブタイプＬＥＤドライバ（１０Ａ、１０Ｂ）において、前記第１乃至前記第Ｎの発光ダイオードにそれぞれ並列に接続されて、前記第１乃至前記第Ｎの発光ダイオードに流れる電流をそれぞれ制御する第１乃至第Ｎの電流制御手段（ＳＷ１〜ＳＷ４；Ｉ１〜Ｉ４）を備えたことを特徴とするインダクティブタイプＬＥＤドライバが得られる。
【００２０】
上記インダクティブタイプＬＥＤドライバ（１０Ａ）において、前記第１乃至前記第Ｎの電流制御手段は、それぞれ、第１乃至第Ｎのスイッチ（ＳＷ１〜ＳＷ４）から構成されて良い。この場合、前記第１乃至前記第Ｎのスイッチは、それぞれ、外部から供給される第１乃至第Ｎの制御信号によりオン／オフが制御される。前記インダクティブタイプＬＥＤドライバ（１０Ａ）は、前記スイッチング回路のオン／オフ動作の駆動及び停止を、前記スイッチング周波数よりも低い繰り返し周波数を持つＰＷＮ信号によって制御するＰＷＭ制御回路（１４）を備える。前記第１乃至前記第Ｎの制御信号の繰り返し周波数は、前記ＰＷＮ信号の繰り返し周波数よりも高いことが望ましい。
【００２１】
また、上記インダクティブタイプＬＥＤドライバ（１０Ａ）において、前記第１乃至前記第Ｎの電流制御手段は、それぞれ、第１乃至第Ｎの電流源（Ｉ１〜Ｉ４）から構成されて良い。この場合、前記第１乃至前記第Ｎの電流源は、それぞれ、外部から供給される第１乃至第Ｎの制御信号のレベルによりその電流値が制御される。
【００２２】
尚、上記括弧内の符号は、本発明の理解を容易にするために付したものであり、一例にすぎず、これらに限定されないのは勿論である。
【発明の効果】
【００２３】
本発明では、直列接続された複数の発光ダイオードにそれぞれ並列に電流制御手段を接続して、複数の発光ダイオードに流れる電流をそれぞれ制御しているので、複数の発光ダイオードを独立に制御することができる。
【発明を実施するための最良の形態】
【００２４】
以下、図面を参照して、本発明の実施の形態について詳細に説明する。
【００２５】
図２を参照して、本発明の第１の実施の形態に係るＬＥＤドライバ１０Ａについて説明する。図示のＬＥＤドライバ１０Ａは、第１乃至第４の白色発光ダイオードＬＥＤ１〜ＬＥＤ４にそれぞれ並列に接続された第１乃至第４のスイッチＳＷ１〜ＳＷ４を更に備えている点を除いて、図１に示したＬＥＤドライバ１０と同様の構成を有する。従って、図１に示したものと同様の機能を有するものには同一の参照符号を付して、説明の簡略化のためにそれらの説明を省略する。
【００２６】
ＬＥＤドライバ１０Ａは、図示しない制御回路から供給される第１乃至第４の制御信号を受ける第１乃至第４の制御入力ピンＣＴＬ１〜ＣＴＬ４を持つ。第１乃至第４の制御信号は、それぞれ、第１乃至第４のスイッチＳＷ１〜ＳＷ４のオン／オフを制御するための信号である。
【００２７】
本例における第１乃至第４の制御信号の各々は、論理ハイレベルＨか論理ローレベルＬのいずれか一方をとるデジタル信号である。第１乃至第４の制御信号が論理ハイレベルＨのとき、それぞれ第１乃至第４のスイッチＳＷ１〜ＳＷ４はオンし、第１乃至第４の制御信号が論理ローレベルＬのとき、それぞれ第１乃至第４のスイッチＳＷ１〜ＳＷ４はオフする。第ｎ（１≦ｎ≦４）のスイッチＳＷｎがオンすると、ＬＥＤ電流ＩＬＥＤは、第ｎの白色発光ダイオードＬＥＤｎをバイパスして、第ｎのスイッチＳＷｎを流れる。
【００２８】
従って、第１乃至第４のスイッチＳＷ１〜ＳＷ４は、第１乃至第４の発光ダイオードＬＥＤ１〜ＬＥＤ４にそれぞれ並列に接続されて、第１乃至第４の発光ダイオードＬＥＤ１〜ＬＥＤ４に流れる電流をそれぞれ制御する第１乃至第４の電流制御手段として働く。
【００２９】
前述したように、ＰＷＭ制御回路１４は、スイッチング回路１１のオン／オフ動作の駆動及び停止を、スイッチング周波数よりも低い繰り返し周波数を持つＰＷＮ信号によって制御する。第１乃至第４の制御信号の繰り返し周波数は、ＰＷＮ信号の繰り返し周波数よりも高いことが好ましい。例えば、第１乃至第４の制御信号の繰り返し周波数は、ＰＷＮ信号の繰り返し周波数の２倍であって良い。但し、第１乃至第４の制御信号の繰り返し周波数は、ＰＷＮ信号の繰り返し周波数よりも低くても良い。
【００３０】
次に、図３及び図４を参照して、図２に図示したＬＥＤドライバ１０Ａの動作について説明する。本例は、第１乃至第４の制御信号の繰り返し周波数が、ＰＷＮ信号の繰り返し周波数の２倍の場合を示している。また、初期設定ＬＥＤ電流が２０ｍＡであるとする。
【００３１】
図３は、シャットダウンピンＳＨＤＮに供給されるＰＷＭ信号のデューティ係数（Duty）が１００％（図３（Ａ）参照）で、第１の制御入力ピンＣＴＬ１に供給される第１の制御信号のデューティ係数（Duty）が５０％（図３（Ｂ）参照）の例を示している。尚、図３では図示は省略しているが、第２乃至第４の制御入力ピンＣＴＬ２〜ＣＴＬ４には第２乃至第４の制御信号が供給されず、第２乃至第４の制御信号のデューティ係数（Duty）は０％である。
【００３２】
この場合、図３（Ｃ）に示されるように、第２乃至第４の白色発光ダイオードＬＥＤ２〜ＬＥＤ４の各々を流れる平均電流は、初期設定ＬＥＤ電流の１００％に等しい２０ｍＡである。これに対して、第１の白色発光ダイオードＬＥＤ１を流れる平均電流は、第１の制御信号のデューティ係数（Duty）が５０％であるので、初期設定ＬＥＤ電流の５０％である１０ｍＡとなる。
【００３３】
図４は、シャットダウンピンＳＨＤＮに供給されるＰＷＭ信号のデューティ係数（Duty）が５０％（図４（Ａ）参照）で、第１の制御入力ピンＣＴＬ１に供給される第１の制御信号のデューティ係数（Duty）が５０％（図４（Ｂ）参照）の例を示している。尚、図４では図示は省略しているが、第２乃至第４の制御入力ピンＣＴＬ２〜ＣＴＬ４には第２乃至第４の制御信号が供給されず、第２乃至第４の制御信号のデューティ係数（Duty）は０％である。
【００３４】
この場合、図４（Ｃ）に示されるように、第２乃至第４の白色発光ダイオードＬＥＤ２〜ＬＥＤ４の各々を流れる平均電流は、ＰＷＭ信号のデューティ係数（Duty）が５０％であるので、初期設定ＬＥＤ電流の５０％である１０ｍＡとなる。これに対して、第１の白色発光ダイオードＬＥＤ１を流れる平均電流は、ＰＷＭ信号のデューティ係数（Duty）が５０％で、かつ第１の制御信号のデューティ係数（Duty）が５０％であるので、初期設定ＬＥＤ電流の２５％である５ｍＡとなる。
【００３５】
このようにして、図２に図示したＬＥＤドライバ１０Ａでは、第１の白色発光ダイオードＬＥＤ１に流す電流のみを、第２乃至第４の白色発光ダイオードＬＥＤ２〜ＬＥＤ４とは独立に、制御することができる。同様の方法で、第２乃至第４の白色発光ダイオードＬＥＤ２〜ＬＥＤ４に流す電流のいずれかを、他の白色発光ダイオードとは独立に制御できることは明らかである。ここで、第１乃至第４の白色発光ダイオードＬＥＤ１〜ＬＥＤ４に流れる電流の最大値は、初期設定ＬＥＤ電流に等しいので、第１乃至第４の白色発光ダイオードＬＥＤ１〜ＬＥＤ４の色温度は変わらない。
【００３６】
また、チャージポンプ式ＬＥＤドライバに比較して、インダクティブタイプＬＥＤドライバ１０Ａを用いるので、効率良く各白色発光ダイオードを点灯させることが出来る。
【００３７】
さらに、液晶表示装置としてメインディスプレイとサブディスプレイとを備えている携帯電話の場合、メインディスプレイとサブディスプレイとを独立に制御するためには、従来の場合では、図１に示されるようなＬＥＤドライバ１０を２個使用する必要があるので、コストが高かった。これに対して、本実施の形態では、図２に示されるようなＬＥＤドライバ１０Ａが１個のみで、メインディスプレイとサブディスプレイとを独立に制御することができる。従って、従来の回路に比べて、部品点数を削減でき、コストを安価にできる。
【００３８】
図５を参照して、本発明の第２の実施の形態に係るＬＥＤドライバ１０Ｂについて説明する。図示のＬＥＤドライバ１０Ｂは、第１乃至第４のスイッチＳＷ１〜ＳＷ４の代わりにそれぞれ第１乃至第４の電流源Ｉ１〜Ｉ４を備えている点おおび第１乃至第４の制御入力ピンＣＴＬ１〜ＣＴＬ４に供給される第１乃至第４の制御信号の信号形態が異なる点を除いて、図２に示したＬＥＤドライバ１０Ａと同様の構成を有する。従って、図２に示したものと同様の機能を有するものには同一の参照符号を付して、説明の簡略化のためにそれらの説明を省略する。
【００３９】
本例において、第１乃至第４の制御入力ピンＣＴＬ１〜ＣＴＬ４にそれぞれ供給される第１乃至第４の制御信号は、それぞれ、第１乃至第４の電流源Ｉ１〜Ｉ４の電流値を制御するための信号である。すなわち、本例における第１乃至第４の制御信号の各々は、論理ハイレベルＨ（１００％）から論理ローレベルＬ（０％）の範囲で連続的に変化するアナログ信号である。
【００４０】
第１乃至第４の制御信号が論理ハイレベルＨ（１００％）のとき、それぞれ第１乃至第４の電流源Ｉ１〜Ｉ４は電流を流さず、すなわち、０％の電流を流す。一方、第１乃至第４の制御信号が論理ローレベルＬ（０％）のとき、それぞれ第１乃至第４の電流源Ｉ１〜Ｉ４は、本来流せる電流値の最大値、すなわち、１００％の電流を流す。一方、第１乃至第４の制御信号が論理ハイレベルＨと論理ローレベルＬの中間のレベル（５０％）のとき、それぞれ第１乃至第４の電流源Ｉ１〜Ｉ４は５０％の電流を流す。すなわち、第ｎ（１≦ｎ≦４）の制御信号のレベルに応じて、第ｎの電流源Ｉｎの電流値が変動し、それに並列に接続された第ｎの白色発光ダイオードＬＥＤｎを流れる電流を制御できる。ここで、第ｎの電流源Ｉｎの電流値と第ｎの白色発光ダイオードＬＥＤｎを流れる電流の電流値とを合わせた電流値は、一定値であるＬＥＤ電流ＩＬＥＤの電流値に等しいことに注意されたい。とにかく、第１乃至第４の電流源Ｉ１〜Ｉ４は、それぞれ、外部から供給される第１乃至第４の制御信号によりその電流値が制御される。
【００４１】
従って、第１乃至第４の電流源Ｉ１〜Ｉ４は、第１乃至第４の発光ダイオードＬＥＤ１〜ＬＥＤ４にそれぞれ並列に接続されて、第１乃至第４の発光ダイオードＬＥＤ１〜ＬＥＤ４に流れる電流をそれぞれ制御する第１乃至第４の電流制御手段として働く。
【００４２】
次に、図６を参照して、図５に図示したＬＥＤドライバ１０Ｂの動作について説明する。ここでは、次のことを仮定する。シャットダウンピンＳＨＤＮに供給されるＰＷＭ信号のデューティ係数（Duty）が１００％であるとする。そして、第１の制御入力ピンＣＴＬ１に供給される第１の制御信号のレベルのみが、図６（Ａ）に示されるように変化し、第２乃至第４の制御入力ピンＣＬＴ２〜ＣＬＴ４に供給される第２乃至第４の制御信号のレベルは、論理ハイレベル（１００％）で一定であるとする。また、初期設定ＬＥＤ電流が２０ｍＡであるとする。
【００４３】
図６（Ａ）に示されるように、第１の制御信号が論理ハイレベルＨ（１００％）から論理ローレベルＬ（０％）へ連続的に一定の傾きで変化したとする。この場合、図６（Ｂ）に示されるように、第１の電流源Ｉ１の電流値は、０％から１００％へ連続的に変化する。尚、第２乃至第４の制御信号のレベルは論理ハイレベルＨ（１００％）であるので、第２乃至第４の電流源Ｉ２〜Ｉ４は電流を流さず、それらの電流値は０％である。
【００４４】
そのため、第２乃至第４の白色発光ダイオードＬＥＤ２〜ＬＥＤ４の各々を流れる平均電流は、初期設定ＬＥＤ電流の１００％に等しい２０ｍＡである。それに対して、第１の白色発光ダイオードＬＥＤ１を流れる平均電流は、図６（Ｃ）に示されるように、第１の電流源Ｉ１の電流値とは逆比例に、初期設定ＬＥＤ電流の１００％である２０ｍＡから０％である０ｍＡへと連続的に変化する。
【００４５】
このようにして、図５に図示したＬＥＤドライバ１０Ｂでは、第１の白色発光ダイオードＬＥＤ１に流す電流のみを、第２乃至第４の白色発光ダイオードＬＥＤ２〜ＬＥＤ４とは独立に、制御することができる。ここで、第２乃至第４の白色発光ダイオードＬＥＤ２〜ＬＥＤ４に流れる電流の最大値は、初期設定ＬＥＤ電流に等しいので、第２乃至第４の白色発光ダイオードＬＥＤ２〜ＬＥＤ４の色温度は変わらない。一方、第１の白色発光ダイオードＬＥＤ１に流れる電流値が変化する為、第１の白色発光ダイオードＬＥＤ１の色温度は変化する。同様の方法で、第２乃至第４の白色発光ダイオードＬＥＤ２〜ＬＥＤ４に流す電流のいずれかを、他の白色発光ダイオードとは独立に制御できることは明らかである。
【００４６】
また、チャージポンプ式ＬＥＤドライバに比較して、インダクティブタイプＬＥＤドライバ１０Ｂを用いるので、効率良く各白色発光ダイオードを点灯させることが出来る。
【００４７】
さらに、液晶表示装置としてメインディスプレイとサブディスプレイとを備えている携帯電話の場合、メインディスプレイとサブディスプレイとを独立に制御するためには、従来の場合では、図１に示されるようなＬＥＤドライバ１０を２個使用する必要があるのでコストが高かった。これに対して、本実施の形態では、図５に示されるようなＬＥＤドライバ１０Ｂが１個のみで、メインディスプレイとサブディスプレイとを独立に制御することができる。従って、従来の回路に比べて、部品点数を削減でき、コストを安価にできる。
【００４８】
尚、本実施の形態では、出力電圧Ｖｏに急峻な変化が無くなる為、リンギングを防ぐことが出来るという効果も奏する。
【００４９】
以上、本発明について好ましい実施の形態によって説明してきたが、本発明は上述した実施の形態に限定しないのは勿論である。例えば、上記実施の形態において説明したＬＥＤドライバは、４個の発光ダイオードを駆動する例についてのみ説明しているが、発光ダイオードの個数Ｎは複数であれば良い。また、第１乃至第Ｎの発光ダイオードにそれぞれ並列に接続される第１乃至第Ｎの電流制御手段も、スイッチや電流源に限定されず、第１乃至第Ｎの発光ダイオードに流れる電流をそれぞれ制御することができるものであれば良い。
【図面の簡単な説明】
【００５０】
【図１】従来のインダクティブタイプＬＥＤドライバの構成を示すブロック図である。
【図２】本発明の第１の実施の形態に係るインダクティブタイプＬＥＤドライバの構成を示すブロック図である。
【図３】図２に示したインダクティブタイプＬＥＤドライバの第１の動作例を示すタイムチャートである。
【図４】図２に示したインダクティブタイプＬＥＤドライバの第２の動作例を示すタイムチャートである。
【図５】本発明の第２の実施の形態に係るインダクティブタイプＬＥＤドライバの構成を示すブロック図である。
【図６】図５に示したインダクティブタイプＬＥＤドライバの動作例を示すタイムチャートである。
【符号の説明】
【００５１】
１０Ａ、１０Ｂ    インダクティブタイプＬＥＤドライバ
１１    スイッチング回路
１２    基準電圧発生器
１３    誤差増幅器
１４    ＰＷＭ制御回路
２０    電池
ＣＩＮ    入力コンデンサ
Ｌ    インダクタ
ＳＢＤ    ショットキーバリアダイオード
ＣＯＵＴ    出力コンデンサ
ＬＥＤ１〜ＬＥＤ４    白色発光ダイオード
Ｒ１    抵抗器
ＳＷ１〜ＳＷ４    スイッチ
Ｉ１〜Ｉ４    電流源
ＳＨＤＮ    シャットダウンピン
ＣＴＬ１〜ＣＴＬ４    制御入力ピン
【図１】
2006261160.tif 000003
【図２】
2006261160.tif 000004
【図３】
2006261160.tif 000005
【図４】
2006261160.tif 000006
【図５】
2006261160.tif 000007
【図６】
2006261160.tif 000008